(57)【要約】【課題】  高ズーム比で全ズーム範囲にわたり高い光学性能が容易に得られるズームレンズを得ること。【解決手段】  物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群を有し、広角端から望遠端へのズーミングに際して、第１レンズ群は物体側へ移動し、ズーミングに際して隣り合うレンズ群の間隔が変化するズームレンズであって、第１レンズ群の焦点距離ｆ１、第６レンズ群の焦点距離ｆ６、広角端におけるバックフォーカスＳｋｗを各々適切に設定すること。【選択図】  図１
2019191606.tif 000002
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群を有し、広角端から望遠端へのズーミングに際して、前記第１レンズ群は物体側へ移動し、ズーミングに際して隣り合うレンズ群の間隔が変化するズームレンズであって、前記第１レンズ群の焦点距離をｆ１、前記第６レンズ群の焦点距離をｆ６、広角端におけるバックフォーカスをＳｋｗとするとき、
１．０＜ｆ１／ｆ６＜１．９
４．０＜ｆ１／Ｓｋｗ＜１５．０
なる条件式を満足することを特徴とするズームレンズ。
【請求項２】
前記第５レンズ群の焦点距離をｆ５、広角端における全系の焦点距離をｆｗとするとき、
−８．０＜ｆ５／ｆｗ＜−１．５
なる条件式を満足することを特徴とする請求項１に記載のズームレンズ。
【請求項３】
望遠端における前記第４レンズ群と前記第５レンズ群の合成焦点距離をｆ４５ｔとするとき、
０．２０＜｜ｆ４５ｔ／ｆ６｜＜０．５０
なる条件式を満足することを特徴とする請求項１又は２に記載のズームレンズ。
【請求項４】
望遠端における全系の焦点距離をｆｔ、広角端における全系の焦点距離をｆｗとするとき、
３．０＜ｆｔ／ｆｗ＜５．０
なる条件式を満足することを特徴とする請求項１乃至３のいずれか１項に記載のズームレンズ。
【請求項５】
無限遠に合焦しているときの開放ＦナンバーをＦｎｏとするとき、
３．９＜Ｆｎｏ＜４．２
なる条件式を満足することを特徴とする請求項１乃至４のいずれか１項に記載のズームレンズ。
【請求項６】
無限遠から近距離へのフォーカシングに際して、前記第４レンズ群は像側へ移動することを特徴とする請求項１乃至５のいずれか１項に記載のズームレンズ。
【請求項７】
望遠端における前記第４レンズ群の横倍率をβ４ｔ、望遠端における前記第５レンズ群と前記第６レンズ群の合成横倍率をβ５６ｔとするとき、
−８．０＜（１−β４ｔ２）×β５６ｔ２＜−２．５
なる条件式を満足することを特徴とする請求項６に記載のズームレンズ。
【請求項８】
無限遠から近距離へのフォーカシングに際して、前記第２レンズ群が物体側へ移動することを特徴とする請求項１乃至５のいずれか１項に記載のズームレンズ。
【請求項９】
請求項１乃至８のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置に用いる撮像光学系としては、広画角、大口径比で、しかも高いズーム比（変倍比）で全ズーム範囲にわたり高い光学性能を有する小型のズームレンズであることが要求されている。
【０００３】
一般に、ズームレンズにおいては、全系の小型化を図るほど、諸収差が多く発生して光学性能が低下してくる。例えば、標準型のズームレンズは広角端でレトロフォーカス型のパワー配置となり、レンズ全長を短くするほど歪曲と倍率色収差が大きく発生する。さらに、ズーミングによる収差変動が増大し、全ズーム範囲にわたって良好な光学性能を得ることが困難となってくる。
【０００４】
そこで、広角端におけるレトロフォーカス型の屈折力配置を緩めることで、バックフォーカスを短くし、全系の小型化を図りつつ、高い光学性能を得るようにしたズームレンズが提案されている（特許文献１）。特許文献１では、物体側から像側へ順に配置された、正、負、正、負、負の屈折力の第１レンズ群ないし第５レンズ群から成り、ズーミングに際して隣り合うレンズ群の間隔が変化するズームレンズを開示している。特許文献１では第４レンズ群を移動させることによりフォーカシングを行うズームレンズを開示している。
【０００５】
また、全系の小型化を図りつつ、高ズーム比で迅速なフォーカシング（合焦）を行うために、フォーカスレンズ群の小型軽量化を図ったズームレンズが提案されている（特許文献２）。特許文献２では、物体側から像側へ順に、正、負、正、負、負、正の屈折力の第１レンズ群乃至第６レンズ群から成り、ズーミングに際して隣り合うレンズ群の間隔が変化するズームレンズを開示している。特許文献２では第４レンズ群を移動させることによりフォーカシングを行うズームレンズを開示している。
【先行技術文献】
【特許文献】
【０００６】
【特許文献１】特開２０１４−６３５４号公報
【特許文献２】特開２０１２−４７８１４号公報
【発明の概要】
【発明が解決しようとする課題】
【０００７】
ズームレンズにおいて、全系の小型化を図りつつ高ズーム比で全ズーム範囲及び全物体距離にわたり高い光学性能を得るには、ズームレンズを構成する各要素を適切に設定することが重要となってくる。例えばズームタイプ（レンズ群の数や各レンズ群の屈折力）や、適切な長さのバックフォーカスを有すること、そしてフォーカス用のレンズ群の選定等を適切に設定することが重要になってくる。特に全系の小型化を図りつつ全ズーム範囲にわたり高い光学性能を得るには、諸収差のうち例えば色収差や像面湾曲そして歪曲等を良好に補正することが重要になってくる。
【０００８】
本発明は、高ズーム比で全ズーム範囲にわたり高い光学性能が容易に得られるズームレンズ及びそれを有する撮像装置を提供することを目的とする。
【課題を解決するための手段】
【０００９】
本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群を有し、広角端から望遠端へのズーミングに際して、前記第１レンズ群は物体側へ移動し、ズーミングに際して隣り合うレンズ群の間隔が変化するズームレンズであって、前記第１レンズ群の焦点距離をｆ１、前記第６レンズ群の焦点距離をｆ６、広角端におけるバックフォーカスをＳｋｗとするとき、
１．０＜｜ｆ１／ｆ６｜＜１．９
４．０＜ｆ１／Ｓｋｗ＜１５．０
なる条件式を満足することを特徴としている。
【発明の効果】
【００１０】
本発明によれば、高ズーム比で全ズーム範囲にわたり高い光学性能が容易に得られるズームレンズが得られる。
【図面の簡単な説明】
【００１１】
【図１】実施例１の無限遠物体合焦時のズームレンズの広角端におけるレンズ断面図
【図２】（Ａ）、（Ｂ）は実施例１の無限遠物体合焦時の広角端、望遠端における収差図
【図３】実施例２の無限遠物体合焦時のズームレンズの広角端におけるレンズ断面図
【図４】（Ａ）、（Ｂ）は実施例２の無限遠物体合焦時の広角端、望遠端における収差図
【図５】実施例３の無限遠物体合焦時のズームレンズの広角端におけるレンズ断面図
【図６】（Ａ）、（Ｂ）は実施例３の無限遠物体合焦時の広角端、望遠端における収差図
【図７】実施例４の無限遠物体合焦時のズームレンズの広角端におけるレンズ断面図
【図８】（Ａ）、（Ｂ）は実施例４の無限遠物体合焦時の広角端、望遠端における収差図
【図９】本発明の撮像装置の要部概略図
【発明を実施するための形態】
【００１２】
以下に本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成される。そしてズーミングに際して隣り合うレンズ群の間隔が変化する。広角端から望遠端へのズーミングに際して、第１レンズ群は物体側へ移動する。無限遠から近距離へのフォーカシングに際して、第２レンズ群が物体側へ移動する、または第４レンズ群が像側へ移動する。
【００１３】
図１は、実施例１のズームレンズの無限遠物体合焦時の広角端（短焦点距離端）におけるレンズ断面図である。図２（Ａ）、（Ｂ）は、実施例１のズームレンズの無限遠物体合焦時の広角端、望遠端（長焦点距離端）における収差図である。実施例１は、ズーム比４．１２、Ｆナンバー４．１２〜４．１２程度のズームレンズである。
【００１４】
図３は、実施例２のズームレンズの無限遠物体合焦時の広角端におけるレンズ断面図である。図４（Ａ）、（Ｂ）は、実施例２のズームレンズの無限遠物体合焦時の広角端、望遠端における収差図である。実施例２は、ズーム比４．１２、Ｆナンバー４．１２〜４．１２程度のズームレンズである。
【００１５】
図５は実施例３のズームレンズの無限遠物体合焦時の広角端におけるレンズ断面図である。図６（Ａ）、（Ｂ）は、実施例３のズームレンズの無限遠物体合焦時の広角端、望遠端における収差図である。実施例３は、ズーム比４．１５、Ｆナンバー４．１２〜４．１２程度のズームレンズである。
【００１６】
図７は、実施例４のズームレンズの無限遠物体合焦時の広角端におけるレンズ断面図である。図８（Ａ）、（Ｂ）は、実施例４のズームレンズの無限遠物体合焦時の広角端、望遠端における収差図である。実施例４は、ズーム比４．１２、Ｆナンバー４．１２〜４．１２程度のズームレンズである。
【００１７】
図９は本発明のズームレンズを備えるデジタルカメラ（撮像装置）の要部概略図である。
【００１８】
各実施例のズームレンズは、デジタルカメラ、ビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。
【００１９】
レンズ断面図において、左方が物体側（前方）で、右方が像側（後方）である。また、レンズ断面図において、ｉを物体側からのレンズ群の順番とすると、Ｌｉは第ｉレンズ群を示す。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。銀塩フィルムカメラの撮像装置としてズームレンズを使用する際には、フィルム面に相当する。広角端から望遠端へのズーミングに際して、矢印に示すように各レンズ群が移動する。
【００２０】
ｆｏｃｕｓ（フォーカス）に関する矢印は無限遠から近距離へのフォーカシングに際して、第２レンズ群または第４レンズ群の移動方向を示している。球面収差図において、ＦｎｏはＦナンバーである。ｄはｄ線（波長５８７．６ｎｍ）、ｇはｇ線（波長４３５．８ｎｍ）である。非点収差図において、Ｍはｄ線におけるメリディオナル像面、Ｓはｄ線におけるサジタル像面である。歪曲収差図はｄ線について示している。倍率色収差図はｇ線について示している。ωは半画角（度）である。
【００２１】
各実施例のズームレンズは、物体側より像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４を有する。更に負の屈折力の第５レンズ群Ｌ５、正の屈折力の第６レンズ群Ｌ６より構成されている。そして無限遠から近距離へのフォーカシングに際して、第２レンズ群Ｌ２が物体側へ移動する、または第４レンズ群Ｌ４が像側へ移動する。
【００２２】
第１レンズ群Ｌ１の焦点距離をｆ１、第６レンズ群Ｌ６の焦点距離をｆ６、広角端におけるバックフォーカスをＳｋｗとする。このとき、
１．０＜ｆ１／ｆ６＜１．９        ・・・（１）
４．０＜ｆ１／Ｓｋｗ＜１５．０    ・・・（２）
なる条件式を満足する。
【００２３】
次に前述の各条件式の技術的意味について説明する。条件式（１）は、第１レンズ群Ｌ１の焦点距離と第６レンズ群の焦点距離の比を規定する。条件式（１）の上限値を超えると、広角端における物体側のレンズ群による正の屈折力が弱くなり、レトロフォーカスタイプのパワー配置に近づく。このため、倍率色収差や歪曲の補正が困難となる。
【００２４】
条件式（２）は、バックフォーカスと第１レンズ群Ｌ１の焦点距離の比を規定する。条件式（２）の下限を超えてバックフォーカスが長くなりすぎると、レンズ全長が長くなるので良くない。より好ましくは、条件式（１）、（２）の数値範囲を次の如くすることが望ましい。
１．２＜ｆ１／ｆ６＜１．９      ・・・（１ａ）
４．５＜ｆ１／Ｓｋｗ＜１０．０  ・・・（２ａ）
【００２５】
以上のように、本発明によれば、色収差や像面湾曲及び歪曲を良好に補正した小型で明るいズームレンズを得ることができる。
【００２６】
各実施例において更に好ましくは次の条件式のうち１つ以上を満足するのが良い。第５レンズ群Ｌ５の焦点距離をｆ５、広角端における全系の焦点距離をｆｗとする。望遠端における第４レンズ群Ｌ４と第５レンズ群Ｌ５の合成焦点距離をｆ４５ｔとする。望遠端における全系の焦点距離をｆｔとする。無限遠に合焦しているときの全ズーム範囲において開放ＦナンバーをＦｎｏとする。望遠端における第４レンズ群Ｌ４の横倍率をβ４ｔ、望遠端における第５レンズ群Ｌ５と第６レンズ群Ｌ６の合成横倍率をβ５６ｔとする。このとき、次の条件式のうち１つ以上を満足するのが良い。
【００２７】
−８．０＜ｆ５／ｆｗ＜−１．５                  ・・・（３）
０．２０＜｜ｆ４５ｔ／ｆ６｜＜０．５０          ・・・（４）
３．０＜ｆｔ／ｆｗ＜５．０                      ・・・（５）
３．９＜Ｆｎｏ＜４．２                          ・・・（６）
−８．０＜（１−β４ｔ２）×β５６ｔ２＜−２．５  ・・・（７）
【００２８】
次に前述の各条件式の技術的意味について説明する。条件式（３）は、第５レンズ群Ｌ５の焦点距離と広角端における全系の焦点距離を規定する。条件式（３）の上限を超えて第５レンズ群Ｌ５の負の屈折力が強くなると、像面湾曲や歪曲の補正が困難となる。条件式（３）の下限を超えて第５レンズ群Ｌ５の負の屈折力が弱くなると、バックフォーカスが長くなり、レンズ全長が増大してくる。
【００２９】
条件式（４）は、望遠端における第４レンズ群Ｌ４と第５レンズ群Ｌ５の合成焦点距離と第６レンズ群Ｌ６の焦点距離を規定する。条件式（４）の上限を超えて第４レンズ群Ｌ４と第５レンズ群Ｌ５の合成の負の屈折力が弱くなると、バックフォーカスが長くなり、レンズ全長が増大してくる。条件式（４）の下限を超えると所定の長さのバックフォーカスを得るのが困難になる。
【００３０】
条件式（５）は、ズームレンズのズーム比を表わしている。条件式（５）の上限を超えて高ズーム比になると、諸収差の補正が困難となりレンズ全長が増大してくる。下限値を超えると高ズーム比のズームレンズが得られない。
【００３１】
条件式（６）は、ズームレンズの開口比であるＦナンバーに関する。広角端及び望遠端において条件式（６）の範囲を満足することで、明るいズームレンズを得ている。
【００３２】
条件式（７）は、第４レンズ群Ｌ４のフォーカス敏感度に関する。条件式（７）の上限を超えて第４レンズ群Ｌ４のフォーカス敏感度が弱いと、フォーカシングに際して第４レンズ群Ｌ４の移動量が大きくなりレンズ全長が増大してくる。条件式（７）の下限を超えるとフォーカシングに伴う収差変動が増大してくる。更に好ましく、は条件式（３）乃至（７）の数値範囲を次の如く設定するのが良い。
【００３３】
−５．０＜ｆ５／ｆｗ＜−１．５                  ・・・（３ａ）
０．２５＜｜ｆ４５ｔ／ｆ６｜＜０．４８          ・・・（４ａ）
３．５＜ｆｔ／ｆｗ＜４．５                      ・・・（５ａ）
４．００＜Ｆｎｏ＜４．１８                      ・・・（６ａ）
−６．０＜（１−β４ｔ２）×β５６ｔ２＜−２．６  ・・・（７ａ）
【００３４】
各実施例において第６レンズ群Ｌ６は正の屈折力よりなっている。各実施例において第４レンズ群Ｌ４は単一の負レンズ又は正レンズと負レンズを接合した接合レンズより構成されている。第５レンズ群Ｌ５は単一の負レンズより構成されている。第６レンズ群Ｌ６は単一の正レンズより構成されている。このように各レンズ群を構成することにより全ズーム範囲、全物体距離にわたり高い光学性能を得ている。
【００３５】
次に本発明のズームレンズを撮像光学系として用いたデジタルスチルカメラ（撮像装置）の実施例に関して図９を用いて説明する。図９において１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００３６】
尚、本発明はクイックリターンミラーのないＳＬＲ（Ｓｉｎｇｌｅ  Ｌｅｎｓ  Ｒｅｆｌｅｘ）カメラにも同様に適用することができる。また本発明のズームレンズはビデオカメラにも同様に適用することができる。
【００３７】
以下、実施例１乃至３に対応する実施例１乃至３の具体的な数値データを示す。各実施例において、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２を各々非球面係数としたとき、
【００３８】
【数１】
2019191606.tif 000003
【００３９】
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。また条件式（４）、（７）に関するパラメータと各実施例との関係を表２に示す。
【００４０】
［数値データ１］
単位 mm
面データ
面番号 r d nd νd 有効径
1 339.483 1.80 1.84666 23.8 63.00
2 87.145 7.69 1.62041 60.3 61.18
3 -624.764 0.15 60.83
4 52.013 6.24 1.88300 40.8 56.45
5 112.523 (可変) 55.32
6 80.275 1.30 1.78800 47.4 34.27
7 15.364 9.41 24.94
8* -33.088 1.20 1.58313 59.4 24.44
9* 47.832 0.15 23.57
10 39.145 3.14 2.00069 25.5 23.56
11 -890.879 (可変) 23.16
12(絞り) ∞ 0.50 18.02
13* 29.739 6.19 1.58313 59.4 18.65
14 -20.067 1.00 1.75520 27.5 18.61
15 -38.858 0.79 18.80
16 -98.143 1.00 1.73800 32.3 18.45
17 16.483 3.35 1.89286 20.4 18.25
18 37.162 1.13 18.00
19 16.923 1.50 2.00100 29.1 18.44
20 11.876 7.12 1.49700 81.5 17.12
21 -73.034 2.00 16.83
22* 109.320 4.76 1.58313 59.4 17.92
23 -25.798 (可変) 18.79
24 87.761 0.80 1.56732 42.8 19.00
25 17.946 (可変) 18.83
26* -31.997 1.50 1.76802 49.2 21.66
27* -10000.000 (可変) 25.18
28 -61.917 5.89 1.81600 46.6 35.22
29 -27.575 (可変) 36.50
像面 ∞ 
【００４１】
非球面データ
第8面
K = 0.00000e+000 A4=-1.07293e-005 A6= 7.06133e-008 A8=-7.04553e-010 A10= 2.50833e-012 
第9面
K = 0.00000e+000 A4=-1.43391e-005 A6= 7.34660e-008 A8=-5.40137e-010 A10= 2.12706e-012 
第13面
K = 0.00000e+000 A4=-9.82631e-006 A6=-5.07372e-008 A8= 9.20885e-010 A10=-8.83478e-012 A12= 3.26540e-014 
第22面
K = 0.00000e+000 A4=-3.94253e-005 A6= 4.82728e-008 A8=-3.57812e-010 A10= 6.93834e-012 
第26面
K = 0.00000e+000 A4=-2.24578e-005 A6=-1.72773e-007 A8= 7.49384e-010 A10=-1.99499e-011 A12= 5.77107e-014 
第27面
K = 0.00000e+000 A4=-1.46228e-005 A6=-9.50388e-008 A8=-6.26827e-011 A10=-1.66056e-012 A12= 1.10419e-014 
【００４２】
各種データ
ズーム比 4.12 
広角 中間 望遠
焦点距離 24.72 49.85 101.86 
Fナンバー 4.12 4.12 4.12 
画角 41.19 23.46 11.99 
像高 21.64 21.64 21.64 
レンズ全長 122.96 139.43 164.86 
BF 14.91 17.39 28.62 
d 5 0.80 16.87 37.67 
d11 24.71 11.86 2.38 
d23 3.41 3.44 1.44 
d25 9.17 9.14 11.14 
d27 1.35 12.12 15.00 
d29 14.91 17.39 28.62 
入射瞳位置 31.25 59.28 123.60 
射出瞳位置 -44.61 -100.01 -132.20 
前側主点位置 45.70 87.97 160.94 
後側主点位置 -9.81 -32.46 -73.23 
ズームレンズ群データ
群 始面 焦点距離 レンズ構成長 前側主点位置 後側主点位置
1 1 95.52 15.87 3.20 -5.84
2 6 -22.58 15.21 1.12 -11.61
3 12 22.26 29.34 13.90 -11.66
4 24 -39.93 0.80 0.64 0.13
5 26 -41.80 1.50 -0.00 -0.85
6 28 56.57 5.89 5.43 2.42
【００４３】
［数値データ２］
単位 mm
面データ
面番号 r d nd νd 有効径
1 360.812 1.80 1.84666 23.8 62.80
2 102.577 6.64 1.72916 54.7 60.93
3 -772.618 0.15 60.54
4 54.305 6.51 1.72916 54.7 55.83
5 145.050 (可変) 54.70
6* 195.122 1.80 1.76802 49.2 36.16
7 15.928 10.58 25.29
8 -25.140 0.90 1.49700 81.5 23.93
9 -208.718 0.15 23.27
10 47.367 2.32 1.89286 20.4 22.65
11 190.240 (可変) 22.14
12(絞り) ∞ 0.50 18.72
13 18.368 0.80 1.88300 40.8 20.01
14 13.125 7.95 1.58313 59.4 19.19
15* -57.788 0.99 18.82
16 -87.965 0.80 1.76200 40.1 18.45
17 16.252 3.22 2.00069 25.5 18.08
18 34.593 1.40 17.70
19 15.903 0.80 2.00100 29.1 17.88
20 11.311 6.81 1.53775 74.7 16.78
21 6552.763 0.15 16.11
22 39.790 0.80 1.85478 24.8 15.80
23 19.824 4.52 1.58313 59.4 15.92
24* -36.018 (可変) 16.42
25 64.857 0.80 1.57250 57.7 17.03
26 16.869 (可変) 17.11
27* -20.265 1.50 1.58313 59.4 22.44
28* -77.916 (可変) 27.23
29 -98.804 5.29 1.88300 40.8 35.44
30 -34.131 (可変) 36.52
像面 ∞ 
【００４４】
非球面データ
第6面
K = 0.00000e+000 A4= 7.28875e-006 A6=-2.03079e-008 A8= 6.78458e-011 A10=-1.61143e-013 A12= 1.59482e-016 
第15面
K = 0.00000e+000 A4= 2.25823e-005 A6=-4.01819e-008 A8=-1.92298e-010 A10= 3.85842e-013 
第24面
K = 0.00000e+000 A4= 4.03627e-005 A6= 2.28646e-008 A8= 1.73530e-010 A10=-8.03393e-012 
第27面
K = 0.00000e+000 A4=-9.10759e-006 A6=-3.96094e-007 A8= 1.03168e-009 A10= 4.30404e-012 A12=-1.28909e-013 
第28面
K = 0.00000e+000 A4=-1.23220e-005 A6=-2.88150e-007 A8= 2.01026e-009 A10=-1.01180e-011 A12= 1.58725e-014 
【００４５】
各種データ
ズーム比 4.12 
広角 中間 望遠
焦点距離 24.72 57.08 101.89 
Fナンバー 4.12 4.12 4.12 
画角 41.19 20.76 11.99 
像高 21.64 21.64 21.64 
レンズ全長 120.52 140.11 159.71 
BF 13.52 18.44 26.90 
d 5 0.70 18.51 35.81 
d11 24.20 9.43 2.38 
d24 1.58 2.26 0.96 
d26 12.56 11.89 13.18 
d28 0.78 12.42 13.30 
d30 13.52 18.44 26.90 
入射瞳位置 30.66 63.26 120.42 
射出瞳位置 -42.66 -98.88 -108.83 
前側主点位置 44.50 92.57 145.83 
後側主点位置 -11.20 -38.64 -74.99 
ズームレンズ群データ
群 始面 焦点距離 レンズ構成長 前側主点位置 後側主点位置
1 1 92.83 15.10 2.56 -6.07
2 6 -20.76 15.75 1.63 -11.76
3 12 22.08 28.73 10.33 -13.15
4 25 -40.07 0.80 0.69 0.18
5 27 -47.42 1.50 -0.34 -1.29
6 29 56.87 5.29 4.14 1.43
【００４６】
［数値データ３］
単位 mm
面データ
面番号 r d nd νd 有効径
1 133.283 2.40 1.85478 24.8 61.17
2 87.083 6.17 1.49700 81.5 59.23
3 550.059 0.15 58.48
4 50.802 6.98 1.59522 67.7 54.57
5 146.905 (可変) 53.53
6* ∞ 1.30 1.77250 49.6 29.88
7* 15.549 6.71 21.52
8* -52.935 1.00 1.77250 49.6 19.54
9 237.079 2.65 1.84666 23.8 18.53
10 -42.980 1.61 17.85
11 -17.616 1.00 1.59522 67.7 17.58
12 -134.606 0.15 18.80
13 72.524 1.92 1.90366 31.3 19.76
14 -1276.143 (可変) 20.15
15(絞り) ∞ 0.30 21.43
16* 18.428 7.79 1.58313 59.4 24.19
17* -73.149 2.42 23.67
18 24.754 1.20 1.90366 31.3 21.44
19 11.941 7.84 1.49700 81.5 19.12
20 -51.310 0.15 18.64
21 126.267 4.45 1.49700 81.5 17.93
22 -17.021 1.00 1.61772 49.8 17.20
23 -211.188 (可変) 16.38
24 144.617 3.00 1.84666 23.8 17.29
25 -23.508 0.90 1.91082 35.3 17.35
26 33.323 (可変) 17.65
27* -80.320 1.40 1.85400 40.4 24.77
28* ∞ (可変) 27.50
29 72.323 5.97 1.58267 46.4 35.59
30 -66.523 (可変) 36.03
像面 ∞ 
【００４７】
非球面データ
第6面
K = 0.00000e+000 A4= 1.93701e-005 A6= 2.31122e-008 A8=-1.67313e-010 A10= 4.40103e-013 
第7面
K = 0.00000e+000 A4=-8.36603e-006 A6= 1.58424e-007 A8=-1.01097e-009 A10= 7.41530e-012 
第8面
K = 0.00000e+000 A4=-9.92583e-006 A6= 1.32318e-008 A8=-2.07092e-010 
第16面
K = 0.00000e+000 A4=-1.53495e-005 A6=-2.84937e-008 A8= 3.60916e-011 A10=-4.00620e-013 
第17面
K = 0.00000e+000 A4= 1.35491e-005 A6=-1.60301e-008 A8= 2.06878e-011 
第27面
K = 0.00000e+000 A4=-1.59541e-004 A6= 7.20505e-007 A8=-1.74745e-009 A10= 8.78750e-014 
第28面
K = 0.00000e+000 A4=-1.36842e-004 A6= 7.55431e-007 A8=-2.16732e-009 A10= 2.27327e-012 
【００４８】
各種データ
ズーム比 4.15 
広角 中間 望遠
焦点距離 24.60 50.00 102.00 
Fナンバー 4.12 4.12 4.12 
画角 41.33 23.40 11.98 
像高 21.64 21.64 21.64 
レンズ全長 118.48 129.70 168.47 
BF 13.64 31.35 30.10 
d 5 2.44 9.30 41.41 
d14 19.03 5.67 2.00 
d23 0.80 7.57 9.20 
d26 13.11 6.34 4.71 
d28 1.00 1.00 12.58 
d30 13.64 31.35 30.10 
入射瞳位置 30.45 38.18 128.02 
射出瞳位置 -44.11 -37.12 -75.32 
前側主点位置 44.58 51.66 131.33 
後側主点位置 -10.96 -18.65 -71.90 
ズームレンズ群データ
群 始面 焦点距離 レンズ構成長 前側主点位置 後側主点位置
1 1 108.61 15.70 1.72 -8.13
2 6 -15.78 16.33 1.86 -10.57
3 15 21.37 25.16 3.59 -14.68
4 24 -41.87 3.90 2.59 0.46
5 27 -94.05 1.40 -0.00 -0.76
6 29 60.43 5.97 2.00 -1.84
【００４９】
［数値データ４］
単位 mm
面データ
面番号 r d nd νd 有効径
1 247.511 1.80 1.80810 22.8 63.00
2 91.971 6.53 1.72916 54.7 61.28
3 6789.826 0.15 60.84
4 49.729 6.97 1.72916 54.7 55.88
5 125.781 (可変) 54.66
6 67.165 1.25 1.95375 32.3 31.84
7 15.126 8.30 23.70
8* -34.796 1.10 1.58313 59.4 23.15
9* 76.645 0.15 22.28
10 41.877 5.12 1.80810 22.8 21.93
11 -38.453 0.88 20.99
12 -25.711 1.00 1.80400 46.6 20.68
13 -84.353 (可変) 20.08
14(絞り) ∞ 0.30 19.20
15 48.681 2.23 1.91082 35.3 19.76
16 -877.673 0.15 19.78
17 20.643 1.00 1.95375 32.3 19.81
18 12.996 6.97 1.59522 67.7 18.60
19 -857.036 1.33 17.95
20 -169.496 0.80 1.74951 35.3 17.54
21 15.672 2.80 2.00069 25.5 16.99
22 29.419 3.79 16.56
23 77.230 0.75 1.78472 25.7 16.56
24 18.773 3.61 1.49700 81.5 16.35
25 -856.795 0.15 16.47
26* 23.865 6.85 1.58313 59.4 18.33
27* -24.974 (可変) 19.46
28 163.393 0.75 1.72916 54.7 19.64
29 23.580 (可変) 19.58
30* -47.372 1.50 1.76802 49.2 23.92
31* -615.292 (可変) 26.85
32 -73.877 4.74 1.80400 46.6 35.09
33 -32.318 (可変) 36.01
像面 ∞ 
【００５０】
非球面データ
第8面
K = 0.00000e+000 A4= 5.44309e-006 A6=-7.81877e-008 A8= 4.09833e-010 A10=-3.15614e-012 A12= 1.13264e-014 
第9面
K = 0.00000e+000 A4=-7.87376e-006 A6=-6.58579e-008 
第26面
K = 0.00000e+000 A4=-3.16553e-005 A6= 1.40135e-008 A8=-8.75482e-010 A10= 2.78385e-012 
第27面
K = 0.00000e+000 A4= 1.27650e-005 A6=-5.00772e-008 A8=-4.02706e-010 A10= 5.82883e-013 
第30面
K = 0.00000e+000 A4=-1.02030e-004 A6= 2.87476e-007 A8=-6.77352e-010 A10=-6.14238e-012 A12= 2.82175e-014 
第31面
K = 0.00000e+000 A4=-9.26945e-005 A6= 4.17996e-007 A8=-1.82148e-009 A10= 4.35626e-012 A12=-4.04031e-015 
【００５１】
各種データ
ズーム比 4.12 
広角 中間 望遠
焦点距離 24.72 49.56 101.84 
Fナンバー 4.12 4.12 4.12 
画角 41.19 23.59 11.99 
像高 21.64 21.64 21.64 
レンズ全長 125.39 142.55 169.39 
BF 18.61 21.13 32.79 
d 5 0.70 14.98 33.92 
d13 21.60 9.79 2.38 
d27 1.40 2.83 1.40 
d29 11.31 9.88 11.31 
d31 0.80 12.98 16.63 
d33 18.61 21.13 32.79 
入射瞳位置 29.57 56.09 121.86 
射出瞳位置 -49.07 -99.96 -130.87 
前側主点位置 45.26 85.37 160.33 
後側主点位置 -6.11 -28.42 -69.05 
ズームレンズ群データ
群 始面 焦点距離 レンズ構成長 前側主点位置 後側主点位置
1 1 87.35 15.45 1.80 -7.01
2 6 -17.95 17.80 1.66 -11.96
3 14 23.68 30.74 15.66 -16.19
4 28 -37.88 0.75 0.51 0.07
5 30 -66.90 1.50 -0.07 -0.92
6 32 68.00 4.74 4.44 1.94
【００５２】
【表１】
2019191606.tif 000004
【００５３】
【表２】
2019191606.tif 000005
【符号の説明】
【００５４】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
【図１】
2019191606.tif 000006
【図２】
2019191606.tif 000007
【図３】
2019191606.tif 000008
【図４】
2019191606.tif 000009
【図５】
2019191606.tif 000010
【図６】
2019191606.tif 000011
【図７】
2019191606.tif 000012
【図８】
2019191606.tif 000013
【図９】
2019191606.tif 000014